【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
互いに直交する上下方向と横方向と前後方向とを有し、腹側部と背側部と胴回り開口と一対の脚回り開口とを有するパンツ型使い捨ておむつであって、
前記腹側部及び前記背側部は、前記横方向の伸縮性を有し、
前記腹側部と前記背側部とは前記前後方向に重なっており、
前記横方向の各端部において前記腹側部と前記背側部とは連続し、
前記腹側部において前記胴回り開口となる上縁部及び前記背側部において前記胴回り開口となる上縁部のうちの少なくとも一方の上縁部は、前記各端部よりも前記横方向の内側の位置に、下方に延びたカット部を一つだけ有し、
前記おむつを前記前後方向から見た場合に、前記腹側部の前記上縁部及び前記背側部の前記上縁部が、それぞれ、前記横方向の全長に亘って、前記各端部における上端同士を結ぶ仮想直線よりも下方の位置又は前記仮想直線上に位置しており、
前記腹側部及び前記背側部のうちで前記カット部を有する方の部材は、当該部材に前記伸縮性を付与するための前記横方向に沿った弾性部材を前記上下方向に複数並んで有し、
前記複数の前記弾性部材のうちの少なくとも一つの弾性部材は、前記横方向における前記カット部の位置で非連続となっており、
排泄物を吸収する吸収性本体を有するとともに、前記吸収性本体は、液体吸収性の吸収性コアを有し、
前記部材は、前記吸収性コアが位置する第１領域と、前記第１領域の前記横方向の両側に位置して前記吸収性コアが位置しない第２領域と、を有し、
前記第１領域における少なくとも所定領域に前記弾性部材から付与される前記横方向の収縮力の大きさは、前記弾性部材から前記第２領域に付与される前記横方向の収縮力の大きさよりも小さく、
前記横方向における前記カット部の少なくとも一部の配置位置は、前記所定領域における前記横方向の両端よりも内側に収まっており、
前記横方向における前記カット部の配置位置は、前記所定領域における前記横方向の両端よりも外側にはみ出し、且つ、前記吸収性本体における前記横方向の両端よりも内側に収まっていることを特徴とするパンツ型使い捨ておむつ。
【請求項２】
請求項１に記載のパンツ型使い捨ておむつであって、
前記非連続の前記弾性部材の前記上下方向の配置位置は、前記カット部が存在する前記上下方向の範囲に含まれていることを特徴とするパンツ型使い捨ておむつ。
【請求項３】
請求項２に記載のパンツ型使い捨ておむつであって、
前記非連続の前記弾性部材は、前記カット部から前記端部まで前記横方向に連続していることを特徴とするパンツ型使い捨ておむつ。
【請求項４】
請求項１乃至３の何れかに記載のパンツ型使い捨ておむつであって、
排泄物を吸収する吸収性本体を有し、
前記吸収性本体の上端は、前記カット部の下端よりも下方に離間して位置していることを特徴とするパンツ型使い捨ておむつ。
【請求項５】
請求項４に記載のパンツ型使い捨ておむつであって、
前記カット部の前記下端と前記吸収性本体の前記上端との間の位置には、前記複数の前記弾性部材のうちの少なくとも一つの弾性部材が、前記横方向における前記カット部の位置を前記横方向に跨ぐように延在していることを特徴とするパンツ型使い捨ておむつ。
【請求項６】
請求項４又は５に記載のパンツ型使い捨ておむつであって、
前記吸収性本体は、液体吸収性の吸収性コアを有し、
前記吸収性コアの上端は、前記吸収性本体の前記上端よりも下方に離間して位置し、
前記吸収性本体の前記上端と前記吸収性コアの前記上端との間の位置には、前記複数の前記弾性部材のうちの少なくとも一つの弾性部材が、前記横方向における前記カット部の位置を前記横方向に跨ぐように延在していることを特徴とするパンツ型使い捨ておむつ。
【請求項７】
請求項１乃至６の何れかに記載のパンツ型使い捨ておむつであって、
前記カット部は、前記腹側部に設けられていることを特徴とするパンツ型使い捨ておむつ。
【請求項８】
請求項１乃至７の何れかに記載のパンツ型使い捨ておむつであって、
前記カット部は、前記おむつにおける前記横方向の中央部に位置していることを特徴とするパンツ型使い捨ておむつ。
【請求項９】
請求項１乃至８の何れかに記載のパンツ型使い捨ておむつであって、
前記カット部は、下方にへこんだ凹部であることを特徴とするパンツ型使い捨ておむつ。
【請求項１０】
請求項１乃至９の何れかに記載のパンツ型使い捨ておむつであって、
前記カット部は、前記腹側部における前記横方向の中央部に位置しつつ、下方にへこんだ凹部であることを特徴とするパンツ型使い捨ておむつ。
【請求項１１】
請求項１乃至１０の何れかに記載のパンツ型使い捨ておむつであって、
前記カット部は、前記腹側部と前記背側部とに、それぞれ一つずつ設けられていることを特徴とするパンツ型使い捨ておむつ。
【請求項１２】
請求項１乃至１１の何れかに記載のパンツ型使い捨ておむつであって、
前記上縁部が、前記端部から前記カット部の上端までに亘って直線状に形成されていることを特徴とするパンツ型使い捨ておむつ。
【請求項１３】
請求項１乃至１２の何れかに記載のパンツ型使い捨ておむつであって、
前記腹側部及び前記背側部のうちで前記凹部を有する方の部材は、前記カット部を有するカット部含有部分を有し、
前記カット部含有部分は、前記カット部の縁部に沿って、周囲の色と異なる色の色違い領域を有していることを特徴とするパンツ型使い捨ておむつ。
【請求項１４】
請求項１乃至１３の何れかに記載のパンツ型使い捨ておむつであって、
前記伸縮性が無いと仮想した状態での前記上縁部の前記横方向の寸法を型紙寸法と定義し、
前記おむつに外力が作用せずに前記伸縮性に基づいて前記おむつが収縮した状態を自然状態と定義した場合に、
前記自然状態の前記おむつを前記横方向の前記各端部で前記横方向の両側に引っ張った際の、前記カット部を有する前記上縁部の前記横方向の寸法は、前記型紙寸法よりも大きいことを特徴とするパンツ型使い捨ておむつ。
【手続補正２】
【補正対象書類名】明細書
【補正対象項目名】０００８
【補正方法】変更
【補正の内容】
【０００８】
上記目的を達成するための主たる発明は、
互いに直交する上下方向と横方向と前後方向とを有し、腹側部と背側部と胴回り開口と一対の脚回り開口とを有するパンツ型使い捨ておむつであって、
前記腹側部及び前記背側部は、前記横方向の伸縮性を有し、
前記腹側部と前記背側部とは前記前後方向に重なっており、
前記横方向の各端部において前記腹側部と前記背側部とは連続し、
前記腹側部において前記胴回り開口となる上縁部及び前記背側部において前記胴回り開口となる上縁部のうちの少なくとも一方の上縁部は、前記各端部よりも前記横方向の内側の位置に、下方に延びたカット部を一つだけ有し、
前記おむつを前記前後方向から見た場合に、前記腹側部の前記上縁部及び前記背側部の前記上縁部が、それぞれ、前記横方向の全長に亘って、前記各端部における上端同士を結ぶ仮想直線よりも下方の位置又は前記仮想直線上に位置しており、
前記腹側部及び前記背側部のうちで前記カット部を有する方の部材は、当該部材に前記伸縮性を付与するための前記横方向に沿った弾性部材を前記上下方向に複数並んで有し、
前記複数の前記弾性部材のうちの少なくとも一つの弾性部材は、前記横方向における前記カット部の位置で非連続となっており、
排泄物を吸収する吸収性本体を有するとともに、前記吸収性本体は、液体吸収性の吸収性コアを有し、
前記部材は、前記吸収性コアが位置する第１領域と、前記第１領域の前記横方向の両側に位置して前記吸収性コアが位置しない第２領域と、を有し、
前記第１領域における少なくとも所定領域に前記弾性部材から付与される前記横方向の収縮力の大きさは、前記弾性部材から前記第２領域に付与される前記横方向の収縮力の大きさよりも小さく、
前記横方向における前記カット部の少なくとも一部の配置位置は、前記所定領域における前記横方向の両端よりも内側に収まっており、
前記横方向における前記カット部の配置位置は、前記所定領域における前記横方向の両端よりも外側にはみ出し、且つ、前記吸収性本体における前記横方向の両端よりも内側に収まっていることを特徴とするパンツ型使い捨ておむつである。
本発明の他の特徴については、本明細書及び添付図面の記載により明らかにする。